(57)【要約】      （修正有）【課題】地域に暮らす高齢者が外または住居内で、一人でいる時に具合が悪くなり倒れた場合でも、確実に所定の連絡先に自動通報できる携帯端末装置を提供する。【解決手段】携帯端末装置に発報手段と加速度検出手段とＧＰＳ位置検出手段を具備すると共に、発報、通報を停止させる発報解除手段を備え、加速度検出手段から検出される加速度が所定の範囲内にある時に発報手段から発報音を出し続け、所定時間経過しても発報解除手段が操作されない場合、所定の宛先にメッセージと現在位置を自動通報するようにする。また、人感センサ手段を具備し、この人感センサ手段からの検出出力が所定の時間以上得られない場合、発報手段から発報音を出し続け、所定時間経過しても発報解除手段が操作されない場合、所定の宛先にメッセージと現在位置を自動通報するようにする。【選択図】図１
2010067241.tif 000002
【特許請求の範囲】
【請求項１】
発報手段と加速度検出手段とＧＰＳ位置検出手段を具備すると共に、前記発報手段からの発報を停止させる発報解除手段を備え、前記加速度検出手段からの出力が所定の範囲内にある時に、前記発報手段から発報音を出力し続けるように構成し、所定時間経過しても前記発報解除手段からの操作出力が制御回路に入力されない場合、所定の宛先に予め記憶された所定のメッセージと前記ＧＰＳ位置検出手段により測定した現在位置を自動通報するようにしたことを特徴とするふるさと携帯端末装置。
【請求項２】
非常通報手段を有し、該非常通報手段の操作が行われた場合、前記発報手段から発報音を出し続けるように構成し、所定時間経過しても前記発報解除手段からの操作出力が前記制御回路に入力されない場合、所定の宛先に自動通報するようにしたことを特徴とする請求項１記載のふるさと携帯端末装置。
【請求項３】
前記非常通報手段は、前記ふるさと携帯端末装置の操作入力部の複数のキーのうち少なくとも２つ以上の前記キーが同時に操作されたときに通報することを特徴とする請求項２記載のふるさと携帯端末装置。
【請求項４】
人感センサ手段を有し、該人感センサ手段からの検出出力が所定の時間以上得られない場合、前記発報手段から発報音を出し続けるように構成し、所定時間経過しても前記発報解除手段からの操作出力が前記制御回路に入力されない場合、所定の宛先に自動通報するようにしたことを特徴とする請求項１または請求項２記載のふるさと携帯端末装置。
【請求項５】
請求項１または請求項２または請求項４記載の前記ふるさと携帯端末装置を充電する充電手段に無線受信手段および赤外線通信またはブルートゥースなどの通信手段を具備し、前記ふるさと携帯端末装置が前記充電手段に装着されている時に前記無線受信手段に所定時間を超えても所定のセンサ手段からの検出信号が得られない場合に緊急信号を生成し、該緊急信号を、前記通信手段を介して前記ふるさと携帯端末装置に伝達し、前記発報手段から発報音を出し続けるように構成し、所定時間経過しても前記発報解除手段からの操作出力が前記制御回路に入力されない場合、所定の宛先に自動通報するようにしたことを特徴としたふるさと携帯電話端末装置の緊急連絡方法。
【請求項６】
前記所定のセンサ手段は、住居内の生活空間各部に配設した人感センサと無線送信回路とからなることを特徴とする請求項５記載のふるさと携帯端末装置の緊急連絡方法。
【請求項７】
電池容量低下検知手段を有し、該電池容量低下検知手段で電池電圧が所定の電圧以下となったことが検知されたとき、音声合成回路から充電を促すメッセージを音声回路、スピーカを介して出力することを特徴としたふるさと携帯端末装置。
【請求項８】
表面に太陽電池を具備するとともに、該太陽電池出力電圧を安定化する太陽電池出力安定化手段と２次電池充電手段を有し、前記太陽電池出力安定化手段出力と２次電池出力電圧を比較し、太陽電池出力安定化手段出力＞２次電池出力電圧の場合、太陽電池出力安定化手段の出力で動作し、太陽電池出力安定化手段出力＜２次電池出力電圧の場合、２次電池出力で動作するとともに、待ち受け時に前記太陽電池から２次電池充電手段を介して充電が行われることを特徴とするふるさと携帯端末装置。
【請求項９】
電源スイッチのオン／オフ検知手段を有し、前記電源スイッチオフ状態にあってもタイマー手段が作動し、所定時間経過しても前記電源スイッチオフ状態が継続している場合、待ち受け状態に自動復帰することを特徴とするふるさと携帯端末装置。
【請求項１０】
マイクロホンから音声メモリへ複数の通話者の音声を予め記憶するとともに、音声認識手段を有し、受信時の相手からの音声と予め前記音声メモリに記憶された音声とを前記音声認識手段にて照合し、前記音声メモリに予め登録された音声と一致しない場合、音声合成回路からスピーカを介して所定のメッセージを出力することと所定の連絡先に自動通報をすることの２つを同時、またはいずれか１つを出力もしくは通報することを特徴とするふるさと携帯端末装置。
【請求項１１】
臭いセンサ及び、またはマイクロ波ドップラーセンサを有し、前記臭いセンサ及び、又はマイクロ波ドップラーセンサがクマ、猪、鹿等の有害動物を検知した場合、威嚇音を発報すると共に、所定の場所にＳＯＳ自動通報をすることを特徴とするふるさと携帯端末装置。
【請求項１２】
ＩＤが記憶された無線タグを読み取るリーダを有し、前記無線タグを埋め込まれたクマ、猪、鹿等の有害動物、あるいは、特定の犯罪者の前記無線タグのＩＤ情報を前記リーダが読み取った時のＩＤ情報が前記有害動物の場合、威嚇音を発報すると共に、所定の場所にＳＯＳ自動通報し、前記リーダが読み取った時のＩＤ情報が特定犯罪者の場合、所定の場所に自動通報することを特徴とするふるさと携帯端末装置。
【発明の詳細な説明】
【技術分野】
【０００１】  本発明は、地域の高齢者が携帯することにより安心、安全を提供するふるさと携帯端末装置からの緊急事態を自動通報する技術に関する。
【背景技術】
【０００２】  携帯電話端末は、電話通信、メール通信、テレビ電話、Ｗｅｂブラウジング、音楽再生、ゲーム、電子マネー、定期券、デジタルテレビ受信等、機能が多様化しており、広く普及している。更に、この携帯電話端末に防犯機能搭載する特許出願として、特開２００５−３４７８４８、特開２００７−２４３５７１がある。特開２００５−３４７８４８記載の携帯電話装置では、加速度センサを搭載して、所定以上のレベルの振動または衝撃が生じた場合にブザー音を発生させ、搭載しているＧＰＳで測定した現在位置情報を含んだ緊急事態のメッセージを緊急連絡先に自動発信するようにしている。また、特開２００７−２４３５７１では、同様に携帯電話端末装置を利用した防犯サービスにおける誤報発生頻度を低下させることができる携帯端末装置と防犯連絡方法が記載されている。
【発明の開示】
【発明が解決しようとする課題】
【０００３】  しかしながら、以上のような携帯電話端末装置に防犯機能を付加したものでは、地域に暮らす高齢者が畑仕事等に携帯して、安心、安全を提供するのは難しい。これらの高齢者が畑仕事中に具合が悪くなって倒れ込むような場合、前記携帯電話装置に搭載の加速度検出手段が単にある閾値を超える加速度を検出したときという防犯のための検出条件とは異なる。地域に暮らす高齢者が外または住居内で、一人でいる時に具合が悪くなり倒れた場合でも、確実に所定の連絡先に自動通報できるふるさと携帯端末装置とその緊急連絡方法による安心、安全を提供することを目的とする。
【課題を解決するための手段】
【０００４】  以上の課題を解決するために、本発明はふるさと携帯端末装置に発報手段と加速度検出手段とＧＰＳ位置検出手段を具備すると共に、発報、通報を停止させる発報解除手段を備え、加速度検出手段から検出される加速度が所定の範囲内にある時に発報手段から発報音を出し続け、所定時間経過しても発報解除手段が操作されない場合、所定の宛先にメッセージと現在位置を自動通報するようにする。
また、人感センサ手段を具備し、この人感センサ手段からの検出出力が所定の時間以上得られない場合、発報手段から発報音を出し続け、所定時間経過しても発報解除手段が操作されない場合、所定の宛先にメッセージと現在位置を自動通報するようにする。
更に、住居内の携帯端末充電装置は、前記ふるさと携帯端末装置の２次電池を充電するだけではなく、住居内の所定の場所にそれぞれ設置された人感検知手段からの検知信号を無線で受信するように構成し、前記ふるさと携帯端末装置が前記充電手段に装着されている時に無線受信手段に所定時間を超えてもいずれの人感検知手段からも検出信号が得られない場合に緊急信号を生成して通信手段を介して前記携帯端末装置に伝達し、前記発報手段から発報音を出し続けるように構成し、所定時間経過しても前記発報解除手段からの操作出力が前記制御回路に入力されない場合、所定の宛先に自動通報するようにする。
【発明の効果】
【０００５】  本発明によれば、地域に暮らす高齢者がふるさと携帯端末装置を外出時に携帯することにより、畑等の外で一人作業中に具合が悪くなり、倒れ込んで助けを求められない時でも所定の連絡先に確実に自動通報できる。また、住居内にいる時には、このふるさと携帯端末装置を携帯端末充電および人感検知受信装置に装着して置くだけで、居室内での生活を見守ることができ、万一倒れたりして動けなくなり助けが必要な時には所定の連絡先に自動通報でき、地域に暮らす高齢者の安心、安全を提供できる。
【発明を実施するための最良の形態】
【０００６】  本発明の一実施形態を示すふるさと携帯端末装置１のブロック図を示す。ＧＰＳアンテナ２を内蔵し、ＧＰＳ受信機３で得られた位置情報は、ＣＰＵ、メモリ等で構成される制御回路１１に入力される。加速度センサ４は前記ふるさと携帯端末装置１が受ける加速度を検出し、処理回路５で加速度信号の増幅とＡ／Ｄ変換された加速度ａが前記制御回路１１に入力される。該制御回路１１内には入力された前記加速度ａに対して、二つの閾値ｂ１及びｂ２を有していてｂ２＞ｂ１の関係にある。前記ふるさと携帯端末装置１１を誤って落としたり、ぶっつけたりした時に生じる加速度ａ１は、ａ１＞ｂ２の関係となるように閾値ｂ２が予め設定される。同様に前記ふるさと携帯端末装置１を携帯した地域の高齢者が具合悪くなり、倒れ込んだような場合に生じる加速度ａ２は、ａ１＞＞ａ２となるので、該加速度ａ２は、ｂ２＞ａ２＞ｂ１となるような前記閾値ｂ１が設定されている。
入力された前記加速度ａは、前記制御回路１１内で前記閾値ｂ１とｂ２それぞれと比較が行われ、ｂ２＞前記加速度ａ＞ｂ１の条件が成立した時、音声回路１３を介してスピーカ１４から発報音が継続して出力される。該発報音は、各種操作キーからなる操作入力部６のいずれかのキーを押すことにより停止するように構成されると共に、前記いずれかのキーを押す操作が自動通報を行わない発報解除手段として機能する。
ｂ２＞前記加速度ａ＞ｂ１の条件が成立した時、タイマー７が作動し時間カウントが行われ、予め設定された時間（例えば５分）が経過しても前記発報解除手段、即ち前記操作入力部６から前記制御部１１に入力がない場合、連絡先記憶部８に予め記憶された所定の連絡先に、音声合成回路１２から連絡情報が無線回路１０と携帯端末アンテナ９を介して無線連絡としての自動通報が行われる。前記ふるさと携帯端末装置１を携帯した高齢者が、前記発報音が誤報であると認識した場合、前記操作入力部６のいずれかのキーを押すこと（発報解除手段操作）により自動通報を行わない前記発報解除が行われる。また、前記操作入力部６のいずれかのキーを少なくとも２つ以上同時に押した場合、該操作を非常通報入力として前記制御回路１１に入力された場合、同様に音声回路１３を介してスピーカ１４から発報音が継続して出力され、タイマー７が作動し時間カウントが行われ、予め設定された時間（例えば５分）が経過しても前記発報解除手段、即ち前記操作入力部６から前記制御回路１１に入力がない場合、連絡先記憶部８に予め記憶された所定の連絡先に音声合成回路１２から連絡情報が無線回路１０と携帯アンテナ９を介して無線連絡としての自動通報が行われる。前記ふるさと携帯端末装置１を携帯した高齢者が、前記非常通報入力操作が誤操作と認識した場合、前記操作入力部６のいずれかのキーを押すこと（発報解除手段操作）により自動通報を行わない前記発報解除が行われる。
また、本発明の前記携帯端末装置１は、人の体温から放射される赤外線（波長１０μｍ）と動きを検知する焦電センサ等からなる人感検知手段１７を具備し、携帯して動きがある場合、該人感検知手段１７から検知信号が前記制御回路１１に入力される。該制御回路１１では前記検知信号が得られる時間間隔を計測し、所定の時間経過しても得られない場合、発報音がスピーカ１４から継続して出力される。タイマー７が作動し時間カウントが行われ、予め設定された時間（例えば５分）が経過しても前記発報解除手段、即ち前記操作入力部６から前記制御回路１１に入力がない場合、連絡先記憶部８に予め記憶された所定の連絡先に音声合成回路１２から連絡情報が無線回路１０と携帯端末アンテナ９を介して無線連絡としての自動通報が行われる。前記ふるさと携帯端末装置１を携帯した高齢者が、発報音が誤報と認識した場合、前記操作入力部６のいずれかのキーを押すこと（発報解除手段操作）により自動通報を行わない前記発報解除が行われる。前記ふるさと携帯端末装置１が、図２に示す携帯端末充電および人感検知受信装置３０に装着されている場合、スイッチ手段３５からのＯＮ信号が制御回路３８に入力され、赤外線通信またはブルートゥース通信を行うインターフェース回路３４を介して前記ふるさと携帯端末装置１のインターフェース回路１８に入力され、前記人感検知手段１７からの検知信号は不使用状態となる。
本発明の他の実施例を図２に示す。図２で、前記携帯端末充電および人感検知受信装置３０は、受信アンテナ３１を具備し、人感検知手段５０〜５３が具備した送信アンテナ５４〜５７のそれぞれからの無線電波信号を受信する。前記受信アンテナ３１からの受信信号は受信回路３２で増幅、検波、２値化等が行われカウンタ３３のリセット信号となる。即ち、前記受信アンテナ３１が前記人感検知手段５０〜５３のいずれからの検知信号を受信した場合、前記カウンタ３３のカウントはゼロに戻る動作をするように構成されている。発振器４０は、前記カウンタ３３のカウントを進めるためのパルスを生成する。制御回路３８から前記カウンタ３３に所定の時間設定がされており、該設定時間を超えるような前記リセット信号なしの場合、前記カウンタ３３からの出力信号が前記制御回路３８に入力される。該制御回路３８は、前記カウンタ３３からの出力信号を緊急信号として前記インターフェース回路３４を介して赤外線またはブルートゥースの電波で送信し、図１の前記インターフェース回路１８で受信され前記制御回路１１に入力されると発報音が前記スピーカ１４から継続して出力される。前記タイマー７が作動し時間カウントが行われ、予め設定された時間（例えば５分）が経過しても前記発報解除手段、即ち前記操作入力部６から前記制御回路１１に入力がない場合、前記連絡先記憶部８に予め記憶された所定の連絡先に音声合成回路１２から連絡情報が無線回路１０と携帯端末アンテナ９を介して無線連絡としての自動通報が行われる。前記発報音が誤作動と認識した場合、前記操作入力部６のいずれかのキーを押すこと（発報解除手段操作）により自動通報を行わない前記発報解除が行われる。
前記人感検知手段５０〜５３は、住居内の生活空間（玄関、居間、キッチン、洗面・バス・トイレ、寝室等）に適宜設置され、人体の部分的な動き（目、口、手足等）、体全体の動きと体から放射される赤外線等の生体情報の検知と無線送信回路を有した構成としている。ＡＣ／ＤＣコンバータ３７は、ＡＣ１００Ｖ商用電源３９を得て、充電接続端子部２１を介して前記ふるさと携帯端末装置１の２次電池２０を充電するように接続されている。前記携帯端末充電および人感検知受信装置３０に必要な電源の供給と停電時のバックアップ電源としての２次電池３６の充電も行うようにしている。また、前記ふるさと携帯端末装置１が前記携帯端末充電および人感検知受信装置３０に装着されてない場合、前記スイッチ手段３５からのＯＦＦ信号が前記制御回路３８に入力されると前記カウンタ３３の動作は停止される。
前記ふるさと携帯端末装置１を前記携帯端末充電および人感検知受信装置３０の装着から外すと前記ふるさと携帯端末装置１の充電接続端子部２１の充電電圧がＯＦＦとなる。該充電接続端子部２１の電圧を制御回路１１で監視することにより、前記ふるさと携帯端末装置１が前記携帯端末充電および人感検知受信装置３０に装着されているか外した状態かを検知できる。前記ふるさと携帯端末装置１が前記携帯端末充電および人感検知受信装置３０に装着されていない場合、該ふるさと携帯端末装置１の前記人感検知手段１７は、動作を再開するようにしている。
前記携帯端末装置１のスピーカ１５とマイクロフォン１６および前記携帯端末アンテナ９は通常の電話機能を有している。
本発明の他の実施例を図３に示す。図３で、２次電池２０の出力電圧監視を行う電池容量低下検知手段６０は所定の電圧と比較を行い、前記２次電池２０の出力電圧値が前記所定の電圧以下となった場合、前記電池容量低下検知手段６０から検知信号が前記制御回路１１に入力される。該制御回路１１は、前記音声合成回路１２に予め記憶されている充電を促すメッセージが音声回路１３を経てスピーカ１４に出力するように動作する。更に本発明の他の実施例を図３に示す。ふるさと携帯端末装置１の表面に太陽電池６１を有している。該太陽電池６１の出力は明るさにより変動するため、太陽電池出力安定化手段６２で所定の電圧に安定化される。該太陽電池出力安定化手段６２は、例えば昇降圧ＤＣ／ＤＣコンバータを用いることにより、広範囲の入力電圧変化に対して出力を所定の電圧に安定化される。前記２次電池２０と前記太陽電池出力安定化手段６２の出力にはそれぞれショットキーダイオード６８、６９のアノード側が接続され、該ショットキーダイオード６８、６９のカソード側は互いに接続されて、前記ふるさと携帯端末装置１の電源として回路各部に供給される。前記ショットキーダイオード６８、６９で前記太陽電池出力安定化手段６２の出力電圧と前記２次電池２０の出力電圧の比較が行われ、大きい方の電圧が出力される。更に、前記ふるさと携帯端末装置１が待ち受け状態になると制御回路１１からの制御信号で２次電池充電手段６４が作動し、前記太陽電池６１から２次電池２０へ充電が行われる。前記太陽電池出力安定化手段６２の出力は充電接続端子部２１からの入力電圧より低く設定されている。電源切り替え手段６３は、前記太陽電池出力安定化手段６２からの電圧と前記充電接続端子部２１からの入力電圧とを電源切り替え手段６３で比較が行われ、大きい方の入力を出力するように動作する。図４に本発明の他の実施例を示す。図４で、電源スイッチ手段６５がオン状態かオフ状態にあるかを検知する電源スイッチオン／オフ検知手段６６は、前記電源スイッチ手段６５の入出力端子の電圧を比較するコンパレータで構成され、該電源スイッチオン／オフ検知手段６６は、電源スイッチ手段６５がオフ状態にある時、検知出力をタイマー回路６７に入力し、時間カウントが行われる。所定時間経過しても前記電源スイッチ手段６５がオフ状態にある時、前記電源スイッチ手段６５をオン状態にし、ふるさと携帯端末装置１を待ち受け状態に自動復帰させる。
図４に本発明の他の実施例を示す。図４で、ふるさと携帯端末装置１に音声情報を記憶する音声メモリ７０を有し、通話相手の音声を予めマイクロホン１０から入力して前記音声メモリ７０に記憶させておく。電話受信時に相手からの音声は、予め記憶されている前記音声メモリ７０内の音声と音声認識手段７１で音声認識が行われ、前記音声メモリ７０に予め記憶、登録されている音声かどうかの判定が行われる。ここで、予め前記音声メモリ７０に登録されている音声と一致しないと判定されたとき、音声合成回路１２からスピーカ１４を介して所定のメッセージを出力する。更に、所定の連絡先に自動通報が行われる。
更に、図４に本発明の他の実施例を示す。図４で、ふるさと携帯端末装置１は、臭いセンサ７２および、またはマイクロ波送信アンテナ７４、マイクロ波受信アンテナ７５、マイクロ波ドップラーセンサ回路７６、信号処置回路７７からなるマイクロ波ドップラーセンサ７８を有し、例えばクマ、猪、鹿などの人間に危害を与えるような有害動物の徘徊時の排泄物からの悪臭や前記有害動物特有の臭いあるいは動き等を前記臭いセンサ７２や前記マイクロ波ドップラーセンサ７８で検知されると、音声合成回路１２から音声回路１３を介してスピーカ１４から威嚇音を発報するとともに、所定の場所にＳＯＳ自動通報される。
更に、図４に本発明の他の実施例を示す。図４で、ふるさと携帯端末装置１は、無線ＩＣタグ８０の有しているＩＤ情報を読み取るリーダアンテナとリーダ回路を有している。近年、家畜の履歴管理のために無線ＩＣタグが埋め込まれたりしている。人間に危害を与える有害動物といえども捕獲し殺すことはできないため、また環境破壊から人家に近い場所や畑に出没して人に危害を加えることが多くなってきている。これからは、一旦捕獲した有害動物に無線ＩＣタグ８０を埋め込んで放すことが行われるようになると考えられる。更に、海外に見られるように、特定犯罪者等に無線ＩＣタグ８０を埋め込むことが行われるようになるときが来ると考えられる。
ふるさと携帯端末１の近くに前記無線ＩＣタグ８０の存在をリーダアンテナ８１を介してリーダ回路８２で読み取った場合、前記無線ＩＣタグ８０内のＩＤ情報が有害動物の場合、音声合成回路１２から音声回路１３を介してマイクロホン１４から威嚇音を発報するとともに、所定の場所にＳＯＳ自動通報が行われる。前記無線ＩＣタグ８０からのＩＤ情報が特定犯罪者の場合、所定の場所に自動通報される。
【実施形態の効果】
【０００７】  本発明によれば、地域に暮らす高齢者がふるさと携帯端末装置を外出時に携帯することにより、畑等の外で一人作業中に具合が悪くなり、倒れ込んで助けを求められない時でも所定の連絡先に確実に自動通報できる。また、住居内にいる時には、このふるさと携帯端末装置を携帯端末充電および人感検知受信装置に装着して置くだけで、居室内での生活を見守ることができ、万一倒れたりして動けなくなり助けが必要な時には所定の連絡先に自動通報でき、地域に暮らす高齢者の安心、安全を提供できる。
また、ふるさと携帯端末の電池容量が低下すると音声で充電を促すメッセージを音声で出力するので、充電忘れをなくすことができる。また、太陽電池をふるさと携帯端末の表面に有して、待ち受け時に充電すると共に、この太陽電池からの出力が大きい場合には、太陽電池出力で動作するようにしたので内蔵２次電池を長時間使うことができる。また、電源スイッチのオン／オフ状態を検知し、オフ状態が所定時間続いた場合、電源スイッチを自動的にオンして待ち受け状態に自動復帰するようにしたので、高齢者がふるさと携帯の電源スイッチを切ったままにしても、自動復帰させるので災害発生時の緊急同報等の緊急情報を聞き逃すことが回避できる。
更に、有害動物を検知するセンサーを有しているので、被害にあうことからの回避とＳＯＳが自動発信されるので助けを呼ぶことができる。このように地域に暮らす高齢者が本発明のふるさと携帯端末装置で、安心安全を得ることができる。
【図面の簡単な説明】
【０００８】
【図１】本発明の一実施形態を示すふるさと携帯端末装置のブロック図である。
【図２】本発明の他の実施形態を示すふるさと携帯端末充電および人感検知受信装置のブロック図である。
【図３】本発明の他の実施形態を示すふるさと携帯端末装置のブロック図である。
【図４】本発明の他の実施形態を示すふるさと携帯端末装置のブロック図である。
【符号の説明】
【０００９】１  ふるさと携帯端末装置    ２  ＧＰＳアンテナ    ３  ＧＰＳ受信機
４  加速度センサ    ５  処理回路    ６  操作入力部
７  タイマー    ８  連絡先記憶部    ９  携帯端末アンテナ
１０  無線回路    １１  制御回路    １２  音声合成回路
１３  音声回路    １４  スピーカ    １５  スピーカ
１６  マイクロフォン    １７  人感検知手段    １８  インターフェース回路
１９  赤外線または電波    ２０  ２次電池    ２１  充電接続端子部
３０  携帯端末充電および人感検知受信装置    ３１  受信アンテナ
３２  受信回路    ３３  カウンタ    ３４  インターフェース回路
３５  スイッチ手段    ３６  ２次電池    ３７  ＡＣ／ＤＣコンバータ
３８  制御回路    ４０  発振器    ５０〜５３  人感検知手段
５４〜５７  送信アンテナ
６０  電池容量低下検知手段    ６１  太陽電池
６２  太陽電池出力安定化手段    ６３  電源切り替え手段
６４  ２次電池充電手段    ６５  電源スイッチ手段
６６  電源スイッチオン／オフ検知手段    ６７  タイマー回路
６８  ショットキーダイオード    ６９  ショットキーダイオード
７０  音声メモリ    ７１  音声認識手段  ７２  臭いセンサ
７３  信号処理回路    ７４  マイクロ波送信アンテナ
７５  マイクロ波受信センサ    ７６  ドップラーセンサ回路
７７  信号処理回路    ７８  マイクロはドップラーセンサ
８０  無線ＩＣタグ    ８１  リーダアンテナ    ８２  リーダ回路
【図１】
2010067241.tif 000003
【図２】
2010067241.tif 000004
【図３】
2010067241.tif 000005
【図４】
2010067241.tif 000006